(57)【要約】【解決手段】  フラッシュライトは、側面方向で外部の充電接点へ延出する充電部材を有するヘッドアセンブリと、バッテリーアセンブリをスライド自在に収納する胴体部とを有する。スライド自在な動作部材を有するテールアセンブリは、前記バッテリーアセンブリに隣接して配置される。前記ヘッドアセンブルに配置される接続モジュールは、連続的電気接点を前記充電部材とバッテリー間に維持するための連続的接続手段と、また前記バッテリーをランプに断続的に連結するための断続的接続機構とを有する。【選択図】      図１
2007519181.tif 000002
【特許請求の範囲】
【請求項１】
フラッシュライトであって、
ランプと側面方向で外部充電接点へ延出する充電部材とを有するヘッドアセンブリと、
バッテリーアセンブリをスライド自在に内蔵する胴体部と、
前記バッテリーアセンブリに隣接するスライド可能な動作部材を有するテールアセンブリと、
前記ヘッドアセンブリ内に配置された接続モジュールであって、前記充電部材と前記バッテリー間の連続的な電気的接続を維持するための連続的接続手段を有し、さらに前記バッテリーを前記ランプと断続的に接続するための断続的接続手段を有するものである、前記接続モジュールと
を有するフラッシュライト。
【請求項２】
請求項１のフラッシュライトにおいて、前記連続的接続手段は、前記接続モジュールから前記バッテリーアセンブリに向かって後方に延出する第１のバネを有するものである。
【請求項３】
請求項２のフラッシュライトにおいて、前記断続的接続手段は、前記接続モジュールにスライド自在に位置付けられ、前記第１のばねに接触するプランジャと、前記接続モジュールに位置付けられ、前記プランジャを後方に付勢する第２のバネとを有するものである。
【請求項４】
請求項３のフラッシュライトであって、このフラッシュライトは、
前記ランプを保持するためのランプベースを有し、このランプベースは該ランプベース上に位置付けられた電気接続部材を有し、前記作動部材が前記胴体部内で前記バッテリーアセンブリを前方にスライドするように動作するとき、前記プランジャと接触するものである。
【請求項５】
請求項４のフラッシュライトにおいて、前記ランプベースは、接続モジュールに断熱材を提供するように構成されているものである。
【請求項６】
充電式フラッシュライト用のバッテリーアセンブリであって、
充電式電池であって、その両端にそれぞれの電池接点を有するものである、前記充電式電池と、
前記電池の外面の周囲に配置された絶縁ジャケットと、
一方の電池接点に接続し、前記電池の一方の端部に近接して配置された保護回路と、
他方の電池接点に接続し、前記絶縁ジャケットの外面に沿って延出し前記保護回路に接続する第１の導電ストラップと、
前記保護回路に接続し、前記絶縁ジャケットの外面に沿って前記電池の他方の端部に延出する第２の導電ストラップと、
前記電池の前記他方の端部で前記第１の導電ストラップと接続される第１のバッテリー端子部材と、
前記電池の前記他方の端部で前記第２の導電ストラップと接続される第２のバッテリー端子部材と
を有するバッテリーアセンブリ。
【請求項７】
請求項５のバッテリーアセンブリにおいて、前記第２のバッテリー端子部材は輪状リングを有し、前記バッテリーアセンブリは更に、前記電池の前記他方の端部に前記輪状リングを位置付けるための円盤部分を有する絶縁部材を有し、前記絶縁部材は該絶縁部材内に開口部を有し、この開口部は前記輪状リングの中央にある開口部を通って前記第１のバッテリー端子部材に接触することを可能にするものである。
【請求項８】
請求項６のバッテリーアセンブリであって、このバッテリーアセンブリは、さらに、
前記バッテリーアセンブリがばねに抗してフラッシュライト胴体部内に位置しているとき、前記バッテリーアセンブリを前方に圧接してランプ回路の断続的作動を可能にする、スライド自在な作動部材に隣接する硬質外部ジャケットを有するものである。
【請求項９】
請求項７のバッテリーアセンブリであって、このバッテリーアセンブリは、
前記第１のバッテリー端子部材に接触するようにばねを導くための縦案内部材を有するものである。
【請求項１０】
請求項６のバッテリーアセンブリであって、このバッテリーアセンブリは、さらに、
前記電池の前記他方の端部で前記保護回路上に配置された、機械的に保護するハウジングを有するものである。
【発明の詳細な説明】
【背景技術】
【０００１】
充電可能なフラッシュライトとして知られている、充電式バッテリーを含むフラッシュライトは、フラッシュライトを保持し、フラッシュライトがそこに配置されるとバッテリーに充電する互換充電ユニットと共に提供される。米国特許番号第５，４３２，６８９号で開示されているように、フラッシュライトの本体がランプ回路のいずれの側の伝導経路としても使用されないことにより、前記フラッシュライトの嵌め合わせ部品は、陽極酸化、エナメル、又はその他の仕上げで提供され、嵌め合わされた部品間の伝導経路を提供するために再機械加工を必要としない、フラッシュライトおよび充電器アセンブリを提供することが望ましい。
【０００２】
例えば、警察官などの武装した要員がフラッシュライトを使用するときには、片手で把持することができ、断続的に作動できるフラッシュライトが提供されることが望ましい。例えば、アクチュエータをそのようなフラッシュライトの後端に提供することが望ましく、それにより片手の指で把持でき、前記アクチュエータを同じ手の親指で操作できるものです。しかし、導電部材としてフラッシュライトの本体を利用しない構造を維持しながら、スイッチング機構をフラッシュライトの後端に位置付ける方法は、連続的接続がバッテリー端子間に維持され、且つ一対の外部充電接続の設計が困難であるため、上記の米国特許第５，４３２，６８９号ではそれについての解決策は示唆されていません。
【発明の開示】
【課題を解決するための手段】
【０００３】
本発明の１つの観点によれば、充電式フラッシュライトは、このフラッシュライトの先端又は近傍にある２つの充電接点により充電されるフラッシュライトである。フラッシュライトは、ランプ回路の片手操作による断続的動作を提供し、選択的に連続的スイッチ動作を提供するように構成されている。バッテリーアセンブリの先端にあるそれぞれのバッテリー端子（及び一対の外部充電接点）間の連続的電気接点は、フラッシュライトの前端部にある連結部材に搭載されたばねの機械構成によって維持される。連結ばねは、フラッシュライト内で後方へ電池アセンブリを圧接すると共に、更に接続モジュールから後方に延出してバッテリー端子との接触を維持する。前記接続モジュールに位置するバネを搭載したプランジャは後方に付勢されて、バッテリーアセンブリの端子とランプベースの電気接点とによって一直線にそろえられる。フラッシュライトのテール部は、前記フラッシュライト胴体部内でバッテリーアセンブリを前方向に圧接し、ランプベース接点の方へプランジャをさらに圧接するため、フラッシュライトの後部に作動面部を有するスライド部材を含む。これにより、ランプの断続的動作が提供される。好適な実施例において、ランプの連続的動作は、前記胴体部の後部で前方へ進んだ位置でスライド部材を維持するようにテールアセンブリを構成することによって提供される。
【発明を実施するための最良の形態】
【０００４】
まず、図１に関して、フラッシュライト１０が充電器１２内に係合している図です。
前記充電器１２は、米国特許第５，４３２，６８９に開示されている充電器の構成と実質的に同一である（充電器アセンブリに係る部分は、この参照により本明細書に組み込まれるものである）。図２では、フラッシュライト１０は胴体部１６の前端と連結されたヘッドアセンブリ１４を有する。テールアセンブリ１８は、前記胴体部の後端に連結される。ガイドプレート１３はヘッドアセンブリ１４の外面に配置され、フラッシュライトを充電器に誘導する。一対の充電接点４０および３８はガイドプレートの内に配置され、充電器に位置する互換性接続接点と嵌合する。
【０００５】
フラッシュライトの前端は、ヘッドアセンブリ１４の前部に回転式に取り付けられる前面蓋（フェイスキャップ）アセンブリ２０によって形成される。図３では、前面蓋アセンブリ２０は円筒形キャリア２６内に円形レンズ２２および反射鏡２４を保持する。反射鏡の端子の後方部分は、前記ヘッドアセンブリ１４の前方部分に螺合連結を提供するため、そこに形成されたスレッド２８を有する。前面蓋アセンブリ２０の外側表面はそこに握持面を提供するために好ましくはへりにぎざぎざがあるのものであり、それにより、前面蓋アセンブリ２０は、スレッド２８上で前方または後方に前面蓋アセンブリ２０を動かすために回転させられることができ、フラッシュライトの焦点を変化さ電池。Ｏリングは、ヘッドアセンブリ１４の前端の外側表面の周りに形成されるチェース３０内に配置され、ヘッドアセンブリ１４と前面蓋アセンブリ２０間に流体シールを提供する。
【０００６】
接続モジュール３２は、ヘッドアセンブリ１４内に配置される。以下に更に詳細に説明するように、前記接続モジュール３２はランプホルダー３４を支持し、そこには、図示しているようにバイピン（ｂｉ−ｐｉｎ）ランプ３６が嵌入されることができる。前記接続モジュール３２は、バッテリー端子４４および４６と、充電器アライメント板４２を通って前記フラッシュライト１０の外側表面から前記ヘッドアセンブリ１４内に位置する接続モジュール３２の中へ延出する一対の接点ねじ３８および４０のそれぞれのものとの間に連続的電気接続を提供する。前記接続モジュールは更に、バッテリー端子４４および４６とバイピンランプ３６のそれぞれの端子との間にスイッチで切り替えができる電気的接続を提供する。
【０００７】
ヘッドアセンブリ１４の後方部分は、胴体部１６の前端に永久的な係合のためのプレス嵌めがされる。バッテリーアセンブリ４８は、胴体部１６内に収容される。更に以下に説明するように、前記バッテリーアセンブリは、前記胴体部１６内のその前端にそれぞれ負の電気接点４４および正の電気接点４６の両方を有する。
【０００８】
テールアセンブリ１８は、前記胴体部１６の後部に連結される。テールアセンブリは円筒形テールハウジング５０を有し、胴体部１６の後方内部にねじ接続を提供する、その前端外側の周りにスレッド５２を有する。円筒形スライド部材５４は、テールアセンブリ１８内にスライド自在に配置される。前記スライド部材５４の前端は拡張されて、前記スライド部材はテールハウジング５０内に形成された小径リム５６によって後方への動きが抑えられる。前記スライド部材５４は、好ましくは予備のランプ（図示せず）のための収納スペースを提供するめに中空であり、その後端は閉じられている。半透性のフィルタ部材５８は、フラッシュライト内部からガスを排気するために、前記スライド部材５４の後壁を通って延出する穴部内に配置される。
【０００９】
前記接続モジュール３２の更なる表示は、図４および図５に示されている。前記接続モジュール３２は、２つのクラム電池型のハウジング部分６０および６２を有する。前記ハウジング部分６０および６２は、以下のようにそこに幾つかの導電部品を収容するように形成される。前記ランプベース３４は、前記２つのハウジング部分６０および６２の間に形成される凹部内に嵌合する。前記ランプベースは、好ましくはランプによって発生する熱に対する障壁として作用し、熱シールドを前記接続モジュールに提供する比較的高い耐熱性を有する液晶ポリマー材料から成る。前記接続モジュール３２は、そこに存在する可動部品の適切な機械性能を提供する、例えばＤＥＬＲＩＮのようなアセタールポリマー材料でできていてもよい。前記ランプベース３４の後面に、ランプ回路の正端子のための導電接点部材６４が提供される。前記ランプベース３４の片方から延出し、前記ハウジング部分に形成された凹部内に保持される負の電気接点部材６６は、前記モジュールの側の方へ前記接続モジュール内で伸長する。前記接点部材の末端部は、（図面から）上方へ曲げられて、負の接点ねじ４０に連結するためにそこで形成された受け取りリングを有する。円すいコイルばねは、前記接続モジュール３２の後部か延出して前記バッテリーアセンブリの負端子に接触するように配置される。前記円すいコイルばねは、前記接続モジュールを通って前記負の電気接点部材６６に接続する接点アーム部分７０を有する。前記フラッシュライトは前記バッテリーアセンブリが適切な位置にアセンブリされると、バッテリーの前端の負端子と前記円すいコイルばね６８との間に連続的圧縮接点が維持されて、前記負の接点ねじと前記バッテリーの負端子との間に連続的充電接続が提供される。
【００１０】
正の接点部材７２は、正の接点ねじに連結するためのリング部分を有する。前記正の接点部材は前記接続モジュール内に配置され、さらに延出して前記接続モジュール内で前記ランプベース３４の後部の位置で整列配置される環状接点リング７４を提供する。プランジャ空胴７６は、前記接続モジュールの後部の前記ラム電池型部分６０および６２の間に形成される。プランジャ７８は、それに形成されたリムによって前記接続モジュールにスライド自在に収容される。前記プランジャ７８の後方部分は、前記接続モジュールの後部から延出する。前記プランジャ空胴７６内で、ばね８２はリム８０と前記プランジャ空胴の外側の環状接点の後部との間で圧縮され、前記プランジャの後部は前記接続モジュールから後方へ延出して前記バッテリーアセンブリの前記正端子に連結するばね８４に連結する。前記ばね８４はこのように連続的圧縮接点においてバッテリーの正端子に接触するように維持されることにより、いつでも、前記バッテリーの正端子とフラッシュライト外側の正帯電接点の間に導電性パスが提供される。
【００１１】
前記プランジャ７８は先端部分を有し、それは前記ランプベース３４の後部及びそこの正のランプ接点に合わせて整列配置される。前記プランジャは前記ばねにより前記プランジャ空胴７６内で後方に圧接されることにより、最初の位置で、前記プランジャ７６の先端部はは前記正のランプ接点に触れないで維持される。再び図３を参照すると、前記スライド部材５４をテールアセンブリの後部の中へ押すことによって、前記スライド部材５４は胴体部１６内で前記バッテリーアセンブリを前方へ圧接することが分かる。このように、前記スライド部材５４がそのように押されると、前記バッテリーアセンブリの運動は両方のばね８４及び８２を圧縮して、前記プランジャの先端を圧接し前記ランプベースの後部の正のランプ接点に接触さ電池。前記ランプは、したがって、片手の指でフラッシュライトを保持し、同じ手の親指で前記スライド部材を押し下げることによって断続的にスイッチをオン／オフに切り替えることができる。
【００１２】
連続的「オン」の状態でランプを維持するためには、テールハウジング５０はスレッド５２で胴体部の後部の中へ回転させられることにより、前記ばね８４および８２は再び圧縮され前記プランジャの先端が正のランプ接点と接触するように動く。このように、本願明細書において記載されている機械構成は、ランプの断続的或いは連続的スイッチング作用を提供する。
【００１３】
前記バッテリーアセンブリは、図６の分解図に図示されている。バッテリーとしての好ましい電池は、リチウムイオン充電式電池です。前記バッテリーアセンブリは、前方の端から見ると同心配置であるそこの前端に露出した２つのバッテリー端子１０８および１０１を提供する。消費生活品のリチウムイオン電池の使用は、高いエネルギー密度およびリチウム電池の潜在的な揮発性のために、一般にリチウムイオン電池とともに電池保護回路の使用が必要である。電池が完全に充電されると、更に充電しないように前記バッテリー保護回路は前記リチウムイオン電池を前記ランプ回路から切り離し、また充電が予め定められた閾値以下に減少すると、前記電池を前記ランプ回路から切り離す。前記バッテリーアセンブリは、以下のように構成される。リチウムイオン充電式電池９０には、最初に収縮包装用絶縁ジャケット９２が提供される。導電ストラップ９４は、前記電池の負端子と保護回路基板９６とに接触するように連結される。電池９０の後部と回路基板９６の前方側の間に、絶縁スペーサ９８が配置される。ある長さの絶縁テープ９９はジャケット９２の一方の側に適用され、導電ストラップ１００は前記アセンブリの後部の前記回路基板９６と連結されて、前端の正の電池接点に連結するために前記アセンブリの前端へ伸長する。前記ストラップ１００の前端は、前記正の電池接点を横切って伸長し、そして正の電池接点端子部材１０１と連結する。前記ストラップ１００は後方に曲げられ、絶縁スペーサ１０２は前記電池の正の接点と正の接点端子部材との間に配置される。
【００１４】
前記ジャケット９２の他方の側に、別のストラップ１０４は負の電池接点に連結して、前記ジャケットのその側に配置された絶縁帯１０６の上に配置される。前記ストラップ１０４の前端は、前記電池の前端で輪状の負の電池接点端子１０８に連結している。前記輪状の負端子１０８は、ばねを前記正の接点端子１０１と接触するように導くため、そこに形成された中空円筒形縦伸長部分を有する絶縁部材１１０に配置される。
【００１５】
ディスク形状扁平ハウジング１１２は、前記保護回路の後側全体にわたって位置し、機械的に前記保護回路を保護するために、絶縁スペーサ１１４が前記ハウジングの後側に配置される。最後に、被覆された電池、ストラップ、および保護回路配列は、電池型部材１１６および１１８により形成される硬質プラスチックシェルに囲まれる。前記電池は、後端で閉じられ、前端で開いてばねがそれぞれの接点と接続できるようにする。粘着ラベル１２０は、前記電池部材を一緒に保持するために、前記電池の上に配置されることができる。
【００１６】
ここでおよび上記で使用している用語は、例示的な説明のためのものであり、限定を意図するものではありません。一方、そのような説明の表現は、添付の特許請求の範囲の範囲を限定することを意図するものではありません。
【図面の簡単な説明】
【００１７】
発明を実施するための最良の形態と同様、発明の開示は付属の図面と伴に最も良く
理解されるでしょう。
【図１】図１は、本発明に従った、フラッシュライトおよび充電器の斜視図である。
【図２】図２は、充電器から外した図１のフラッシュライトの斜視図である。
【図３】図３は、本発明のフラッシュライトの断面図である。
【図４】図４は、図３のフラッシュライトの先端部ないにある接続モジュールの分解図である。
【図５】図５は、図４の接続モジュールの断面図である。
【図６】図６は、図３のフラッシュライトで用いられる電池アセンブリの分解図である。
【図１】
2007519181.tif 000003
【図２】
2007519181.tif 000004
【図３】
2007519181.tif 000005
【図４】
2007519181.tif 000006
【図５】
2007519181.tif 000007
【図６】
2007519181.tif 000008
【国際調査報告】
2007519181.tif 000009